(57)【要約】      （修正有）【課題】竿受部に載架された竿の水平を保ちつつ、簡単な動作で竿受部の高さ調整を行うことができる物干し台を提供する。また部品点数を少なくし、組立またはメンテナンス作業を容易にする。【解決手段】内外管の挿入深さを変えることで竿受部の高さが上下に調整可能である物干し台であって、内管３０の底端の内部に枢設する圧迫部６０と、その突端の外管接触端６２と、荷重作用部６１と、内管を挿通し荷重作用部と一端で連接する内ロッド７０と、内ロッドの他端が結合する柱状体８２を有する押しボタン８０と、柱状体を嵌装するハウジング４２と、内ロッドの他端を遊挿する弾性体８５とを具え、常態においては弾性体の押し上げにより内ロッドが圧迫部に回転軸６３まわりに回転荷重を与え、外管接触端６２を外管２０の内壁面に押圧させることで内管を外管に固定し、かつ、押しボタンの押下時には押圧が開放され、外管接触端が外管の内壁面から離脱することを特徴とする。【選択図】図２
0003109135.tif 000002
【実用新案登録請求の範囲】
【請求項１】
脚部と、該脚部に立設する外管と、該外管に挿設する内管と、該内管に設けた竿受部とを有し、該外管に対する内管の挿入深さを変えることで該竿受部の高さが上下に調整可能である物干し台であって、
前記外管に挿入する前記内管の底端の内部に回転軸を介して枢設する圧迫部と、
該圧迫部の突端であって前記内管の底端から突出する外管接触端と、
該圧迫部に設けた荷重作用部と、
前記内管を挿通し該荷重作用部と一端で連接する内ロッドと、
該内ロッドの他端が結合する柱状体を有する押しボタンと、
該柱状体を嵌装し、前記内管の頂端と連接するハウジングと、
予め圧縮した状態で該ハウジング内にて前記内ロッドの他端を遊挿し、一端が該ハウジングと当接し、もう一端が該ハウジングに嵌装された前記柱状体を押し上げる弾性体と、
を具え、
常態においては該弾性体の押し上げにより前記内ロッドが前記荷重作用部を引き上げるとともに前記圧迫部に前記回転軸まわりに回転荷重を与え、前記外管接触端を前記外管の内壁面に押圧させることで前記内管を前記外管に固定し、かつ、
前記押しボタンの押下時には前記押圧が開放され、前記外管接触端が前記外管の内壁面から離脱することを特徴とする物干し台。
【請求項２】
前記荷重作用部は前記内ロッドを挿通する切り欠き溝を有する板面からなり、
前記内ロッドの前記一端には枢軸フレームを介してローラーが枢設され、
該ローラーは常態において前記板面と前記外管の内壁に挟持され該板面を押圧することを特徴とする請求項１記載の物干し台。
【請求項３】
前記ハウジングと前記竿受部は一体の部品として成形され、
前記押しボタンの柱状体は下部外縁に突出する円筒状の差込部を有し、
前記ハウジングは該柱状体を嵌装する開口部に嵌合する円環状の嵌入座を有し、
該嵌入座は外周に前記開口部と嵌合する嵌合部を、内縁に前記差込部を嵌挿する可撓性のストッパーをそれぞれ有し、
常態における該ストッパーの内径は前記差込部の外径よりも小さく、該ストッパーと前記差込部の干渉により前記嵌入座に嵌挿された前記柱状体の脱離が防止されることを特徴とする請求項１または２に記載の物干し台。
【考案の詳細な説明】
【技術分野】
【０００１】
本考案は、簡単な動作で竿受部の高さ調整が可能である物干し台に関する。
【背景技術】
【０００２】
物干し台の構造は多種多様であり、大きく分けると平場で使用する自立型のタイプと、軒先から金具を用いて吊下げるタイプとがある。これらの物干し台の基本構成は、対になる竿受部を有し、その間に竿を載架するものであるが、一般的には竿受部の高さは固定されている。
【０００３】
しかし、特に高さに制約のある室内にて自立型の物干し台を使用する場合など、干す物の長さや使用者の背の高さに応じて竿受部の高さを調整することが望まれることが多い。このため従来より、脚から略鉛直に立設する支柱を二重管構造にして上部の管をスライド可能とし、二本の管の挿入深さを変えることで竿受部の高さを調整するタイプの物干し台が提案されている。
【０００４】
かかる物干し台においては、常態において竿受部がずれ落ちることのないよう、二本の管の位置関係が固定される必要がある。従来の高さ調整機構では、内外管に穿設した孔に外部から位置決めピンを挿入するか、または外管に設けた固定つまみをネジ回すことで内管を圧締する方式が一般的であった。
【０００５】
これに対し、先行文献１（特許文献１：特開２００２−２４８２９９号公報）には、外管の径方向にスライドするスライド板や係止解除部材を有する長さ調整機構を備える物干し台に関する発明が記載されている。また先行文献２（特許文献２：特開平７−１７１２９７号公報）には、内外管を互いに偏心させ、内管を軸周りに捻ることで
両者がロックされる支柱のロック装置に関する発明が記載されている。
【０００６】
しかし、従来のピン式またはネジ回し式の物干し台では長さ調整の作業が煩雑であり、対向する二本の支柱の長さを一人の作業者が同時に変えるのは困難であった。また、前記先行文献に記載の各発明によっても、いずれも支柱に対して横方向（径方向）に荷重を与えて内外管をロックまたはアンロックし、次に縦方向（軸方向）に管をスライドさせて高さ調整を行うものであるため、竿受部に載架した竿の水平を保ったまま高さを上下に調整することは困難であった。
【０００７】
【特許文献１】特開２００２−２４８２９９号公報
【特許文献２】特開平７−１７１２９７号公報
【考案の開示】
【考案が解決しようとする課題】
【０００８】
そこで本考案は、上記した従来の物干し台が有する問題点を解決すべくなされたものであり、竿受部に載架された竿の水平を保ちつつ、簡単な動作で竿受部の高さ調整を行うことができる物干し台を提供することを目的とする。また部品点数を少なくし、組立またはメンテナンス作業を容易にすることを副次的な目的とする。
【課題を解決するための手段】
【０００９】
上記課題を解決するため本考案者は鋭意検討の末、外管に挿入された内管の底端に回転式の部材を枢設し、該部材と、内管の頂端に設けた押しボタンとをロッドで連結することにより、内外管に対し軸方向に該押しボタンを押下することで前記回転式の部材を操作し、内外管のロックまたはアンロックを簡単に行うことができるという知見に基づき、本考案の完成に到った。
【００１０】
すなわち以下の考案によれば、上記の各課題を解決することが可能である。
（１）脚部と、該脚部に立設する外管と、該外管に挿設する内管と、該内管に設けた竿受部とを有し、該外管に対する内管の挿入深さを変えることで該竿受部の高さが上下に調整可能である物干し台であって、
前記外管に挿入する前記内管の底端の内部に回転軸を介して枢設する圧迫部と、
該圧迫部の突端であって前記内管の底端から突出する外管接触端と、
該圧迫部に設けた荷重作用部と、
前記内管を挿通し該荷重作用部と一端で連接する内ロッドと、
該内ロッドの他端が結合する柱状体を有する押しボタンと、
該柱状体を嵌装し、前記内管の頂端と連接するハウジングと、
予め圧縮した状態で該ハウジング内にて前記内ロッドの他端を遊挿し、一端が該ハウジングと当接し、もう一端が該ハウジングに嵌装された前記柱状体を押し上げる弾性体と、
を具え、常態においては該弾性体の押し上げにより前記内ロッドが前記荷重作用部を引き上げるとともに前記圧迫部に前記回転軸まわりに回転荷重を与え、前記外管接触端を前記外管の内壁面に押圧させることで前記内管を前記外管に固定し、かつ、
前記押しボタンの押下時には前記押圧が開放され、前記外管接触端が前記外管の内壁面から離脱することを特徴とする物干し台。
【００１１】
また本考案は、その具体的な実施の態様として以下の各関連考案を含むものである。
（２）前記荷重作用部は前記内ロッドを挿通する切り欠き溝を有する板面からなり、
前記内ロッドの前記一端には枢軸フレームを介してローラーが枢設され、
該ローラーは常態において前記板面と前記外管の内壁に挟持され該板面を押圧することを特徴とする（１）記載の物干し台。
（３）前記ハウジングと前記竿受部は一体の部品として成形され、
前記押しボタンの柱状体は下部外縁に突出する円筒状の差込部を有し、
前記ハウジングは該柱状体を嵌装する開口部に嵌合する円環状の嵌入座を有し、
該嵌入座は外周に前記開口部と嵌合する嵌合部を、内縁に前記差込部を嵌挿する可撓性のストッパーをそれぞれ有し、
常態における該ストッパーの内径は前記差込部の外径よりも小さく、該ストッパーと前記差込部の干渉により前記嵌入座に嵌挿された前記柱状体の脱離が防止されることを特徴とする（１）または（２）に記載の物干し台。
【考案の効果】
【００１２】
本考案にかかる物干し台によれば、竿受部に載架された竿の水平を保ったまま竿受部の高さを自在に調整することができる。これは、内ロッドを介して回転式の圧迫部に伝えられた弾性体の押し上げ荷重が、外管接触端による外管内壁への押圧荷重として
付与される方式によって実現される内外管のロック機構が、押しボタンの押下によって解除されるという本考案特有のメカニズムに基づくものである。
【００１３】
すなわち前記請求項１記載の物干し台にかかる考案によれば、押しボタンを内外管の軸方向に押下することで両管のアンロックが行われ、押しボタンを離すことで弾性体により常態に戻ることで自動的にロックがなされることから、使用者は内外管を互いに挿設してなる常態の支柱に対し、上から押しボタンを押下するとともにそのまま内管を上下させることで竿受部の高さを調整することができる。つまり従来技術にみられる、支柱の軸方向に与える荷重による内外管のアンロックが不要であるため、竿の水平を目視しながら支柱の軸方向のみの荷重によって高さ調整が可能となる。
【００１４】
これにより、簡単な操作による高さ調整の実現という本考案の目的についても、押しボタンの押下のみによる内外管のアンロックと、押しボタンから手を離すことによる自動的なロックが実現したことで同時に達成されるものである。
【００１５】
また、前記請求項２に記載の物干し台にかかる考案によれば、内ロッドの一端に枢設したローラーが外管内壁と圧迫部とを押圧するため、内外管のロックをさらに強固なものとすることができる。
【００１６】
前記請求項３に記載の物干し台にかかる考案によれば、弾性体や押しボタンの柱状体を収めるハウジングが竿受部と一体成形されることで、本考案の副次的な目的の一つである部品点数の削減を図ることができる。また、嵌入座やストッパーを設けることで、少ない部品点数により押しボタンの柱状体の脱離を防止しつつハウジングに好適に嵌装することが可能となるものである。
【考案を実施するための最良の形態】
【００１７】
以下、本考案の実施の形態について図面を用いて具体的に説明する。ただし本考案は以下の実施の形態に限られるものではない。本考案にかかる物干し台は脚部と、脚部に立設する外管と、外管に挿設する内管と、内管に設けた竿受部を基本構成とする自立型の物干し台であって、竿受部の高さが上下に調整可能とするものである。図１は本考案の実施の形態にかかる物干し台の全体斜視図である。
【００１８】
自立型の物干し台を支持する脚部の方式は特に限定されず、コンクリートブロックなどからなる土台を有する方式や、複数本の管材を組み合わせたフレーム方式などを採ることができる。図１には後者の例として、管材を矩形に組んだ底フレーム１０と４つのキャスター１１を示す。
【００１９】
外管２０は、脚部より略鉛直に立設し、物干し台のおよその高さを決定する管材からなる。断面形状は特に限定されないが、円形または矩形を基本とする。脚部に立設する方式も特に限定されるものではなく、脚部の形状や材料に応じて嵌合や溶接などから適宜選択しうる。輸送または不使用時の収納などの観点からは、ブラケットなどを介して底フレームと着脱自在に嵌合する方式が好適である。また、後述するように外管２０の内壁面は摩擦を大きくするための粗面処理をしたり、ラチェット歯加工を施したりすることも好適である。
【００２０】
内管３０は、その底端を外管の上部開口端に挿設され、二重管構造をなす管材である。内管の外径は、外管の内径との嵌め合いを満たし、両管は互いにスムーズにスライド可能であることが望ましい。外管２０および内管３０の材料は特に限定されず、強度、剛性、入手性などの観点からアルミや鉄などの金属材料が一般的に用いられるが、硬質プラスチックなど他の材料を除外するものではない。
【００２１】
内管３０には上部に竿受部５１が設けられている。竿受部５１の内管３０への取付位置は限定されないが、大型の被乾燥物に対応するためには極力内管３０の上端近傍に設けることが好適である。竿受部５１の方式も各種選択的に用いることができ、Ｙ字またはＵ字型の保持部とする方式や、図１に例示するような円管の開口端に竿を嵌合する方式などが挙げられる。また、内外管および竿受部は対向して２式を脚部上に設け、竿受部同士の間に竿５０を載架することが一般的であるがこれに限るものではなく、例えば１式の内外管および竿受部５１のみを有する物干し台において、竿の中腹をひとつの竿受部５１で水平保持する方式や、３式以上の内外管および竿受部５１の組み合わせを脚部上に設け、任意の竿受部５１同士の間に竿を載架する方式なども採り得る。図１では一般的な例として、内外管および竿受部５１を２式設け、竿受部５１の開口端を対向させ、その間に１本の竿５０を嵌合させる方式を図示してある。
【００２２】
また、本考案にかかる物干し台は、内管３０を外管２０に対してスライドさせ、その挿入深さを変えることで竿受部５１の高さを調整することができるものである。以下、内外管をロックおよびアンロックする機構について説明する。
【００２３】
図２は本考案の実施の形態にかかる物干し台の分解斜視図であり、４２はハウジング、６０は圧迫部、７０は内ロッド、８０は押しボタン、８５は弾性体の例としてのバネをそれぞれ表わす。
【００２４】
外管２０に挿入する内管３０の底端の内部には、回転軸６３を介して圧迫部６０が枢設してある。圧迫部６０の突端は内管３０の底端より突出しており、突端の一面には外管接触端６２が設けられている。また圧迫部６０には荷重作用部が設けられ、内ロッド７０が連接している。荷重作用部は圧迫部６０のうち、外管接触端６２と同一面側にあっても、反対面側にあってもよいが、図２では反対面側に板面６１として図示してある。内ロッド７０が荷重作用部（板面）６１に上向きの荷重を与えると、回転軸６３を中心として圧迫部６０は回動し、外管接触端６２には内管３０の軸中心から離れる方向に回転荷重が作用する。その結果、外管接触端６２は内管３０に外接する外管２０の内壁面に押し付けられることとなり、かかる押圧により内管３０は外管２０に圧着固定、または外管２０の内壁面にラチェット歯が設けられている場合は外管接触端６２がこれと嵌合固定する。
【００２５】
物干し台の常態においては、竿および被乾燥物の重量を支持しつつも内外管の摺動を防止し、竿受けの高さを保持する必要があるため、上記の機構により内外管の固定を図る場合は内ロッド７０に恒常的に上向きの荷重を与えておく必要がある。
【００２６】
そこで内管３０の上部に連接し内ロッド７０の上端を挿通するハウジング４２と、該ハウジングに予め圧縮して収納され内ロッド７０に遊挿される弾性体８５とを設けることで、該弾性体８５がハウジング４２と内ロッド７０との間を押し広げるよう両者に内力を与えることができる。その結果、内管３０が外管２０に挿設された常態において、内管３０の内部に枢設された圧迫部６０は、弾性体８５から内ロッド７０および荷重作用部６１を通じて引き上げ荷重を恒常的に受け、したがって外管接触端６２は外管２０の内壁面に常に押し付けられることとなるため内外管の摺動が防止される。
【００２７】
また、かかる押し付け力は荷重作用部６１への引き上げ荷重をキャンセルすれば開放されるため、内ロッド７０の上端に設けた押しボタンを押下することで簡単に内外管の圧着または嵌合固定を解除し、外管接触端６２を外管２０の内壁面から離脱することができる。
【００２８】
それぞれの構成要素について、更に具体的に説明する。荷重作用部６１と内ロッド７０の連接方式は特に限定されるものではない。図２に例示したように、内ロッド７０の下端に枢軸フレーム７１を介してローラー７２を枢設し、一方、圧迫部６０のうち、外管接触端６２の背面側に板面６１を設け、該板面６１をローラー７２で上方に押圧する方式のほか、例えば、外管接触端６２と同一面側に荷重作用部として環状突起を設け、これと内ロッドの下端に設けた環状の端子をピン結合する方式なども想定し得る。なお、図２に例示したローラーによる押し上げ方式の場合、圧迫部６０には、例えば切り欠き溝６１０の如き、内ロッド７０の逃げ部を設ける。
【００２９】
ハウジング４２は、例えばその一部である縦方向設置管４１を内管３０に嵌装することで内管３０と連接する。ハウジング４２の上端開口部４１０には、押しボタン８０の胴部である柱状体８２を嵌装する。柱状体８２は内ロッド７０の上端にネジ７３または接着などで連接しているため、該ハウジング４２を挿通して内ロッド７０は押しボタン８０と荷重作用部６１は連結されることとなる。
【００３０】
ハウジング４２は、縦方向設置管４１および竿受部５１とともに一体部品とし、コネクター４０として成形することも好適である。これにより嵌め合い精度を維持するとともに部品点数を削減し、組立やメンテナンス作業を容易にすることができる。
【００３１】
押しボタン８０をハウジング４２に嵌装するに際しては、組立作業の効率や抜け落ち防止の観点から、例えば嵌入座９０を用いるのも好適である。図２に例示する円環状の嵌入座９０は、適当な高さの外周に嵌合部９１を有し、ハウジング４２と嵌着する一方、内縁には可撓性のストッパー９２を有する。押しボタン８０の柱状体８２は下部外縁に、突出する円筒状の差込部８２０を有する。常態においてはストッパー９２の内径は差込部８２０の外径よりも小さいため、差込部８２０を嵌挿する際はストッパー９２が撓み、その内径を拡大するものの、ひとたび嵌入座９０に差込部８２０が嵌挿されたあとは、ストッパー９２と差込部８２０の干渉により柱状体８２の脱離が防止されることとなる。
【００３２】
図３に本考案の実施の形態にかかる物干し台の常態を、図４に高さ調整時を、それぞれ局部断面図にて示す。８１は圧面、８３はバネ空間、８４はネジ溝である。図３では、弾性体８５がハウジング４２の底面と柱状体８２の間を押し広げるべく管内に内力が働き、一方では押しボタン８０を押し上げ、他方では圧迫部６０の外管接触端６２が外管２０の内壁に押し付けられている。具体的には、予め圧縮された弾性体８５がハウジング４２の底面に当接しつつ柱状体８２を押し上げる。柱状体８２はネジ溝８４で内ロッド７０のネジ７３と螺合しているため、弾性体８５の押し上げ荷重は内ロッド７０を通じてローラー７２の押し上げとして圧迫部６０の荷重作用部６１に伝えられる。ローラー７２は荷重作用部たる板面６１と外管２０の内壁とに挟持され、内外管は外管接触端６２により摺動がロックされるため、竿受部５１の高さは常態において保持される。
【００３３】
竿受部５１の高さを調整する際は、図４で下向きの矢印にて示すように圧面８１を押下することにより、押しボタン８０はバネ空間８３の高さと一致するまで弾性体８５の長さを圧縮する。これにより内ロッド７０およびローラー７２が押し下げられ、ローラー７２の荷重作用部６１への荷重は開放される。これにより外管接触端６２の押圧が開放されるため圧迫部６０は自重により外管２０の内壁から離脱し、内外管のロックが解除される。
【００３４】
また、再び押しボタン８０から手を離すと、弾性体８５の回復により押しボタン８０は押し上げられ、自動的に外管接触端６２は外管２０の内壁に押圧されることとなる。以上により、使用者が押しボタン８０を押下した場合は内外管のロックは解除され、その間は竿受部５１の高さを自在に調整することが可能であり、押しボタン８０から手を離すことで自動的に竿受部５１の高さが固定されるという本考案にかかる物干し台が提供されることとなる。このため、かかる物干し台は内外管からなる支柱に対し、鉛直軸方向に荷重を加えつつ同じ方向に竿受部を上下スライドすることで高さ調整が可能となるため、竿の水平を維持することが容易となるほか、きわめて簡単な操作により高さ調整を行うことができる。
【産業上の利用可能性】
【００３５】
本考案にかかる物干し台は、竿受部の高さ調整における二重管構造のロックおよびアンロックを押しボタンの押下とその解除によって簡単に実現するものである。かかる機構は、例えば台座等の脚や、水平に横架されるフレームの伸縮など、対象物やその設置方向を問わず様々な分野に応用することが可能である。
【図面の簡単な説明】
【００３６】
【図１】本考案の実施の形態にかかる物干し台の全体斜視図
【図２】本考案の実施の形態にかかる物干し台の分解斜視図
【図３】本考案の実施の形態にかかる物干し台の常態を示す局部断面図
【図４】本考案の実施の形態にかかる物干し台の高さ調整時を示す局部断面図
【符号の説明】
【００３７】
１０    底フレーム
１１    キャスター
２０    外管
３０    内管
４０    コネクター
４１    縦方向設置管
４１０  開口部
４２    ハウジング
５０    竿
５１    竿受部
６０    圧迫部
６１    荷重作用部（板面）
６１０  切り欠き溝
６２    外管接触端
６３    回転軸
７０    内ロッド
７１    枢軸フレーム
７２    ローラー
７３    ネジ
８０    押しボタン
８１    圧面
８２    柱状体
８２０  差込部
８３    バネ空間
８４    ネジ溝
８５    弾性体（バネ）
９０    嵌入座
９１    嵌合部
９２    ストッパー
【図１】
0003109135.tif 000003
【図２】
0003109135.tif 000004
【図３】
0003109135.tif 000005
【図４】
0003109135.tif 000006